(57)【特許請求の範囲】
【請求項１】
電線の端部の露出芯線部に端子の圧着部が圧着されている端子付電線において、
前記端子は、
前記電線が載置されるとともに、前記電線の芯線部を覆う被覆部の端面に当接される当接部が設けられた底部を備え、
前記当接部が、前記底部に設けられ、前記端子の幅方向に延びるスリットの内側面であり、
前記スリットを介して、前記電線の少なくとも一部が外部に露出する端子付電線。
【請求項２】
請求項１に記載の端子付電線において、
前記底部は、前記露出芯線部が載置される第１底板部と、
前記第１底板部よりも上側に設けられ、前記電線の被覆部が載置される第２底板部と、
前記第１底板部と前記第２底板部との間を接続するとともに、前記第１底板部に対して傾斜する部分を有する傾斜板部とを備え、
前記当接部が、前記傾斜板部に形成されている端子付電線。
【請求項３】
電線の端部の露出芯線部に圧着される圧着部を備える端子において、
前記電線が載置されるとともに、前記電線の芯線部を覆う被覆部の端面に当接される当接部が設けられた底部を備え、
前記当接部が、前記底部に設けられ、前記端子の幅方向に延びるスリットの内側面であり、
前記端子が前記電線に圧着されている状態において、前記スリットを介して、前記電線の少なくとも一部が外部に露出する端子。
【発明の詳細な説明】
【技術分野】
【０００１】
この発明は、電線端部の露出芯線部に端子を圧着する技術に関する。
【背景技術】
【０００２】
従来、端子付電線として特許文献１に開示のものがある。特許文献１では、端子に芯線圧着用バレルが設けられ、この芯線圧着用バレルが電線端末から露出する芯線にかしめ圧着されている。
【先行技術文献】
【特許文献】
【０００３】
【特許文献１】特開平９−４４９９１１４号公報
【発明の概要】
【発明が解決しようとする課題】
【０００４】
ところで、従来の端子付電線の場合、電線の位置決めは作業者の目視または経験に基づいて行われている。例えば複数の電線に端子を圧着する場合は、それぞれの電線を横に並べて取り付けることで、電線の位置を規定の位置に合わせることが容易である。しかしながら、上下に電線を重ねるような場合、上側の電線に下側の電線が隠れてしまい、下側の電線の位置を正確に把握することが難しくなる。このため、下側の電線の位置が規定位置に配置されない結果、露出芯線部に対して端子を適切に圧着することができない虞がある。
【０００５】
そこで、本発明は、電線の端部の露出芯線部に端子を圧着する際に、電線の位置決めを良好に行うことができる技術を提供することを目的とする。
【課題を解決するための手段】
【０００６】
上記の課題を解決するため、第１の態様は、電線の端部の露出芯線部に端子の圧着部が圧着されている端子付電線において、前記端子は、前記電線が載置されるとともに、前記電線の芯線部を覆う被覆部の端面に当接される当接部が設けられた底部を備え、前記当接部が、前記底部に設けられ、前記端子の幅方向に延びるスリットの内側面であり、前記スリットを介して、前記電線の少なくとも一部が外部に露出する。
【０００９】
また、第２の態様は、第１の態様に係る端子付電線において、前記底部は、前記露出芯線部が載置される第１底板部と、前記第１底板部よりも上側に設けられ、前記電線の被覆部が載置される第２底板部と、前記第１底板部と前記第２底板部との間を接続するとともに、前記第１底板部に対して傾斜する部分を有する傾斜板部とを備え、前記当接部が、前記傾斜板部に形成されている。
【００１０】
また、第３の態様は、電線の端部の露出芯線部に圧着される圧着部を備える端子において、前記電線が載置されるとともに、前記電線の芯線部を覆う被覆部の端面に当接される当接部が設けられた底部を備え、前記当接部が、前記底部に設けられ、前記端子の幅方向に延びるスリットの内側面であり、前記端子が前記電線に圧着されている状態において、前記スリットを介して、前記電線の少なくとも一部が外部に露出する。
【発明の効果】
【００１１】
第１または第２の態様に係る端子付電線によると、底部に形成された当接部に被覆部の端面を当接することによって、電線の位置決めを行うことができる。したがって、電線の露出芯線部に端子を良好に圧着することができる。
また、スリットによって形成される内側面に、被覆部の端面を当接させることで、電線を位置決めすることができる。
また、電線の端部の位置をスリットを介して確認することができるため、電線を規定位置に配置することが容易になる。
【００１４】
第２の態様に係る端子付電線によると、電線を底部に這わしたときに、傾斜板部に設けられたスリットの縁部に、被覆部の端部を良好に当接させることができる。
【００１５】
第３の態様に係る端子によると、底部に形成された当接部に被覆部の端面を当接することによって、電線の位置決めを行うことができる。したがって、電線の露出芯線部に端子を良好に圧着することができる。
【図面の簡単な説明】
【００１６】
【図１】実施形態に係る圧着前の端子及び電線の概略側面図である。
【図２】端子付電線の概略側面図である。
【図３】圧着部を端子の長手方向に沿って切断したときの概略縦断面図である。
【図４】端子付電線を下側から見た平面図である。
【図５】複数の電線が他の電線の下側に配置された端子付電線を下側から見た平面図である。
【図６】変形例に係る底部を示す概略断面図である。
【図７】その他の変形例に係る底部を示す概略断面図である。
【発明を実施するための形態】
【００１７】
以下、図面を参照して実施の形態を詳細に説明する。ただし、この実施の形態に記載されている構成はあくまでも例示であり、本発明の範囲をそれらのみに限定する趣旨のものではない。
【００１８】
｛１．  実施形態｝
図１は、実施形態に係る圧着前の端子２０及び電線１２ａ，１２ｂの概略側面図である。図２は端子付電線１０の概略側面図である。なお、以下の説明では、端子２０において、底板部２３ａ，２３ｂ及び傾斜板部２３ｃが設けられている側を下側として説明する。ただし、この方向は、端子２０の使用時の設置姿勢を限定する趣旨のものではない。
【００１９】
電線１２ａ，１２ｂは、芯線部１４ａ，１４ｂの外周に被覆部１６ａ，１６ｂが押出被覆等によって被覆されたものである。芯線部１４ａ，１４ｂは、銅、銅合金、アルミニウム、アルミニウム合金等の金属線の撚り合せ線又は単線によって構成されている。また、電線１２ａ，１２ｂの被覆部１６ａ，１６ｂの端部が皮剥ぎされ、電線１２ａ，１２ｂの端部に芯線部１４ａ，１４ｂが露出している。以下、電線１２ａ，１２ｂの端部に露出する芯線部１４ａ，１４ｂを露出芯線部１５ａ，１５ｂとそれぞれ表記する場合がある。
【００２０】
端子２０は、ボルト取付孔１１が設けられた電気接触部２１と、圧着部２２とを備えている。
【００２１】
圧着部２２は、電線１２ａ，１２ｂの端部に露出する露出芯線部１５ａ，１５ｂに圧着接続可能に構成されている。圧着部２２は、底板部２３ａ，２３ｂ及び傾斜板部２３ｃで形成される底部２３と、一対の被覆圧着片２４と、一対の芯線圧着片２５とを有している。底板部２３ａは、電気接触部２１の基端部側より延出する長尺板状に形成されている。底板部２３ｂは、端子２０の電気接触部２１とは反対側の端部に設けられており、長尺板状に形成されている。底板部２３ａと底板部２３ｂとの間には、段差が形成されている。より詳細には、底板部２３ａの上面の高さは、底板部２３ｂの上面の高さよりも高くなっている。さらに底板部２３ａ，２３ｂの間は、底板部２３ａ，２３ｂに対して傾斜する部分を有する傾斜板部２３ｃによって接続されている。
【００２２】
一対の被覆圧着片２４は、底板部２３ｂの両端側部より上方に延出する長尺片状に形成されている。圧着部２２のうちこの一対の被覆圧着片２４が形成された部分は、断面略Ｕ字状に形成されている。
【００２３】
一対の芯線圧着片２５は、一対の被覆圧着片２４と電気接触部２１との間で、底板部２３ａの両端側部より上方に延出する長尺片状に形成されている。この一対の芯線圧着片２５と一対の被覆圧着片２４との間、及び、一対の被覆圧着片２４と電気接触部２１との間には隙間が形成されている。また、圧着部２２のうち一対の芯線圧着片２５が形成された部分は、断面略Ｕ字状に形成されている。
【００２４】
上記一対の芯線圧着片２５は、露出芯線部１５ａ，１５ｂを抱持するように当該露出芯線部１５ａ，１５ｂに圧着される。また、一対の被覆圧着片２４は、被覆部１６ａ，１６ｂの端部を抱持するように当該被覆部１６ａ，１６ｂに圧着される。これにより、電線１２ａ，１２ｂの端部と端子２０とが圧着接続される。
【００２５】
なお、電線１２ａ，１２ｂの被覆部１６ａ，１６ｂに圧着される一対の被覆圧着片２４は、省略することも可能である。また、電気接触部２１は、図１に示したような形態に限定されるものではなく、適宜他の形態（例えば他の端子と電気的に接続できるような接続部）に変更してもよい。
【００２６】
図３は、圧着部２２を端子２０の長手方向に沿って切断したときの概略縦断面図である。なお、図３では、電線１２ａ，１２ｂを二点鎖線で示している。また、図４は、端子付電線１０を下側から見た平面図である。
【００２７】
傾斜板部２３ｃには、端子２０の幅方向に沿って切り欠かれたスリット２３Ｓが設けられている。スリット２３Ｓは、下側に配置された電線１２ｂの被覆部１６ｂの端部（端面１８ｂ）が当接する縁部（内側面）を形成している。したがって、本実施形態では、このスリット２３Ｓの縁部が、当接部を形成している。
【００２８】
なお、図２に示したように芯線圧着片２５によって端子２０を露出芯線部１５ａ，１５ｂに圧着したとき、圧縮力によって上側の露出芯線部１５ａが大きく下側へ曲げられてしまう。このとき、細い方の露出芯線部１５ｂが上側にあった場合には、圧縮力によって断線してしまう虞がある。したがって、太い電線１２ａと細い電線１２ｂとを上下に配置して端子２０を圧着させる場合、太い電線１２ａを細い電線１２ｂの上側に配置することが望ましい。
【００２９】
しかしながら、図１，２に示したように、電線１２ａ，１２ｂを上下に重ねて配置した場合、電線１２ａが電線１２ｂよりも太く形成されているため、電線１２ｂ位置が電線１２ａに隠れてしまう。このため、被覆部１６ｂの端部（すなわち、露出芯線部１５ｂの露出開始位置）を把握することが難しいため、電線１２ｂの位置決めが困難になる。
【００３０】
これに対して、本実施形態に係る端子２０では、傾斜板部２３ｃにスリット２３Ｓが設けられている。このため、電線１２ｂを被覆圧着片２４側から芯線圧着片２５側に向けて、底板部２３ａに這わしながら端子２０に挿入したときに、被覆部１６の端部（端面１８ｂ）をスリット２３Ｓの縁部に当接させることができる。無論、端子２０の上側から電線１２ｂを挿入して、被覆部１６の端部をスリット２３Ｓの縁部に当接させるようにしてもよい。スリット２３Ｓを傾斜板部２３ｃの所要位置に形成しておくことによって、電線１２ｂを規定の位置に位置決めすることができる。
【００３１】
以上のように、太い電線１２ａの下側に細い電線１２ｂが配置されるような場合においても、下側の電線１２ｂを適切な位置に配置することができる。これにより、芯線圧着片２５において、電線１２ａ，１２ｂの芯線部１４ａ，１４ｂを端子２０に対して適切に圧着することができる。
【００３２】
また本実施形態に係る端子２０においては、スリット２３Ｓを介して電線１２ａ，１２ｂの一部が外部に露出するように、スリット２３Ｓの開口の大きさが設定されている。これにより、スリット２３Ｓを介して、端子２０内における電線１２ａ，１２ｂの位置（特に、被覆部１６ａ，１６ｂの端部の位置）を容易に把握することができる。したがって、電線１２ａ，１２ｂを規定の位置に配置することが容易になる。ただし、スリット２３Ｓの大きさはこのようなものに限定されるものではなく、内部を確認することが困難な程度の細隙に形成されていてもよい。すなわち、スリット２３Ｓの縁部に被覆部１６ｂの端面１８ｂが当接できる限りにおいては、スリット２３Ｓはどのような大きさを有していてもよい。
【００３３】
また、底板部２３ａと底板部２３ｂとの間に形成される段差の高さは、任意に設定することができる。ただし、段差が高すぎるような場合には、被覆圧着片２４と芯線圧着片２５とで電線１２ａ，１２ｂをそれぞれ圧着したときに、芯線部１４ａ，１４ｂが段差部分において断線してしまう虞がある。そのような事態を避けるため、底板部２３ａと底板部２３ｂの段差の高さは、被覆部１６ｂの径方向の厚みに合わせて設定されることが望ましい。これにより、被覆部１６ｂを底板部２３ａに這わせたときに、露出芯線部１５ｂを底板部２３ｂに適切に這わせることができる。これにより、被覆部１６ｂの端部をスリット２３Ｓの縁部に良好に当接させることができる。
【００３４】
なお、図１〜図４に示した端子付電線１０では、１本の電線１２ｂが電線１２ａの下側に配置されているが、複数の電線が電線１２ａの下側に配置されるような場合にも、本願発明は有効である。
【００３５】
図５は、複数の電線１２ｂ，１２ｃが他の電線１２ａの下側に配置された端子付電線１０を下側から見た平面図である。比較的細い複数の電線１２ｂ，１２ｃが比較的太い電線１２ａの下側に配置された場合であっても、例えば図５に示したように、電線１２ｂ，１２ｃを横に並べることで、それぞれの被覆部１６ｂ，１６ｃの端面１８ｂ，１８ｃを、スリット２３Ｓの縁部に当接させることができる。したがって、複数の電線１２ｂ，１２ｃの位置決めを適切に行うことができる。
【００３６】
｛２．  変形例｝
以上、実施形態について説明してきたが、本発明は上記のようなものに限定されるものではなく、様々な変形が可能である。
【００３７】
例えば、上記実施形態では、１つの端子２０に対して、複数の電線（電線１２ａ，１２ｂ（図１等参照）、または、電線１２ａ〜１２ｃ（図５参照））に端子２０を圧着させている。しかしながら、本願発明は、１つの電線に端子２０を圧着させる場合にも有効である。
【００３８】
また、上記実施形態では、スリット２３Ｓは、外部に連通するように開口しているが、溝状に形成されていてもよい。この場合においても、被覆部１６ｂ，１６ｃの端面１８ｂ，１８ｃを溝状のスリットの内側面に当接させることで、電線１２ｂ，１２ｃの位置決めを行うことができる。
【００３９】
また、上記実施形態では、底板部２３ａ，２３ｂの間にスリット２３Ｓが設けられた傾斜板部２３ｃを配置しているが、この傾斜板部２３ｃは省略することも可能である。つまり、底板部２３ａ，２３ｂを面一に形成して、この底部に被覆部１６ｂの端面が当接するスリットが形成されていてもよい。
【００４０】
また、上記実施形態では、傾斜板部２３ｃの上面（内側面）と底板部２３ｂの上面（内側面）との成す角度θ（図３参照）が、鈍角となるように傾斜板部２３ｃを設けている。しかしながら、これらの成す角度を直角（図６参照）または鋭角（図７参照）となるようにすることも可能である。
【００４１】
例えば、図６に示した例では、底板部２３ａと底板部２３ｂとが、底板部２３ｂの上面に対して９０度を成す上面を形成する底板部２３ｄで接続されている。この場合、底板部２３ｄの上面に被覆部１６ｂの端面１８ｂを当接させることができる。そして、底板部２３ｄの上面が当接面を形成する。
【００４２】
また、図７に示した例では、底板部２３ａと底板部２３ｂとが、底板部２３ｂの上面に対して鋭角を成す上面を形成する底板部２３ｅで接続されている。この場合、底板部２３ｅと底板部２３ｅとが連続する部分（角部分）において、被覆部１６ｂの端面１８ｂを当接させることができる。
【００４３】
さらに、上記実施形態および変形例にて説明した各構成は、互いに矛盾の生じない限り、適宜組み合わせたり、または省略したりすることができる。
【符号の説明】
【００４４】
１０  端子付電線
１１  ボルト取付孔
１２ａ，１２ｂ，１２ｃ  電線
１４ａ，１４ｂ  芯線部
１５ａ，１５ｂ  露出芯線部
１６ａ，１６ｂ，１６ｃ  被覆部
１８ｂ，１８ｃ  端面
２０  端子
２１  電気接触部
２２  圧着部
２３  底部
２３Ｓ  スリット
２３ａ，２３ｂ，２３ｄ，２３ｅ  底板部
２３ｃ  傾斜板部
２４  被覆圧着片
２５  芯線圧着片
【図１】
0005708256.tif 000002
【図２】
0005708256.tif 000003
【図３】
0005708256.tif 000004
【図４】
0005708256.tif 000005
【図５】
0005708256.tif 000006
【図６】
0005708256.tif 000007
【図７】
0005708256.tif 000008